(57)【要約】【課題】省電力で利便性に優れたカード型携帯機を提供する。【解決手段】外部機器１００との通信を行なう制御部７０を備えたカード形状のカード本体２０と、カード本体２０の長辺側の縁部に形成された横位置表示部３２、及びカード本体２０の短辺側の縁部に形成された縦位置表示部３４を備え、制御部７０により表示制御される表示部３０と、横位置表示部３２又は縦位置表示部３４への表示の切替えを行なう切替手段である切替えスイッチ４０と、を有してカード型携帯機１を構成する。【選択図】図１
2017126117.tif 000002
【特許請求の範囲】
【請求項１】
外部機器との通信を行なう制御部を備えたカード形状のカード本体と、
前記カード本体の長辺側の縁部に形成された横位置表示部、及び前記カード本体の短辺側の縁部に形成された縦位置表示部を備え、前記制御部により表示制御される表示部と、
前記横位置表示部又は前記縦位置表示部への表示の切替えを行なう切替手段と、
を有することを特徴とするカード型携帯機。
【請求項２】
前記切替手段は、前記表示部以外の前記カード本体の一部に備えられた切替スイッチであることを特徴とする請求項１に記載のカード型携帯機。
【請求項３】
前記切替手段は、前記横位置表示部の一部に備えられた横位置光センサ、及び前記縦位置表示部の一部に備えられた縦位置光センサであることを特徴とする請求項１に記載のカード型携帯機。
【請求項４】
前記切替手段は、前記横位置光センサ、及び前記縦位置光センサの検出結果に基づいて、前記横位置表示部又は前記縦位置表示部のいずれか一方への表示を行なうことを特徴とする請求項３に記載のカード型携帯機。
【請求項５】
前記表示部は、電子ペーパであることを特徴とする請求項１から４のいずれか１項に記載のカード型携帯機。
【請求項６】
前記表示部は、前記カード本体の表及び裏面に形成されていることを特徴とする請求項１から５のいずれか１項に記載のカード型携帯機。
【発明の詳細な説明】
【技術分野】
【０００１】
本発明は、カード型携帯機に関し、特に、表示機能を有するカード型携帯機に関する。
【背景技術】
【０００２】
従来の技術として、カード内部に記憶保持される内容をＩＣカード自体に表示可能としたＩＣカード或いはカード型携帯機が知られている（例えば、特許文献１参照）。
【０００３】
このカード型携帯機は、カード型の基板と、基板に設けられる不揮発性メモリと、基板に設けられ不揮発性メモリの内容を表示する表示部と、基板に設けられ基板の厚み方向に圧力が印加されると電力を生成し不揮発性メモリと表示部とに電力を供給する圧電素子部を含んで構成されている。このカード型携帯機によれば、カード型携帯機の内部に記憶内容表示方法を含み、内部記録情報を読み出してメモリの内容をカード表面に形成された表示部に表示させることができるとされている。
【先行技術文献】
【特許文献】
【０００４】
【特許文献１】特開２００４−７８７３１号公報
【発明の概要】
【発明が解決しようとする課題】
【０００５】
しかし、特許文献１のカード型携帯機は、カード型携帯機の表面の一部にのみ表示部を有した構成とされているので、カード型携帯機をそのまま使用する場合は特に問題はない。しかし、通常の使用形態として、カード型携帯機は財布やカードケース等に収容され、必要時にのみ財布等から取り出される。したがって、カード型携帯機の表面の一部にのみ表示部を有した構成の場合は、収容のされ方によっては表示部が視認できず利便性に問題があった。一方、財布やカードケース等に収容された状態でも表示部あるいは表示部の一部を視認できるようにするためには、表示部を大きく配置しておく必要があり、省電力、コスト等の観点から問題があった。
【０００６】
従って、本発明の目的は、省電力で利便性に優れたカード型携帯機を提供することにある。
【課題を解決するための手段】
【０００７】
［１］上記目的を達成するため、外部機器との通信を行なう制御部を備えたカード形状のカード本体と、前記カード本体の長辺側の縁部に形成された横位置表示部、及び前記カード本体の短辺側の縁部に形成された縦位置表示部を備え、前記制御部により表示制御される表示部と、前記横位置表示部又は前記縦位置表示部への表示の切替えを行なう切替手段と、を有することを特徴とするカード型携帯機を提供する。
【０００８】
［２］前記切替手段は、前記表示部以外の前記カード本体の一部に備えられた切替スイッチであることを特徴とする上記［１］に記載のカード型携帯機であってもよい。
【０００９】
［３］また、前記切替手段は、前記横位置表示部の一部に備えられた横位置光センサ、及び前記縦位置表示部の一部に備えられた縦位置光センサであることを特徴とする上記［１］に記載のカード型携帯機であってもよい。
【００１０】
［４］また、前記切替手段は、前記横位置光センサ、及び前記縦位置光センサの検出結果に基づいて、前記横位置表示部又は前記縦位置表示部のいずれか一方への表示を行なうことを特徴とする上記［３］に記載のカード型携帯機であってもよい。
【００１１】
［５］また、前記表示部は、電子ペーパであることを特徴とする上記［１］から［４］のいずれか１に記載のカード型携帯機であってもよい。
【００１２】
［６］前記表示部は、前記カード本体の表及び裏面に形成されていることを特徴とする上記［１］から［５］のいずれか１に記載のカード型携帯機であってもよい。
【発明の効果】
【００１３】
本発明によれば、省電力で利便性に優れたカード型携帯機を提供することが可能となる。
【図面の簡単な説明】
【００１４】
【図１】図１（ａ）は、本発明の第１の実施の形態に係るカード型携帯機のカード本体表面の平面図であり、図１（ｂ）は、横位置表示部に表示マークが表示されている場合の平面図であり、図１（ｃ）は、縦位置表示部に表示マークが表示されている場合の平面図である。
【図２】図２は、本発明の第１の実施の形態に係るカード型携帯機の構成を示す構成ブロック図である。
【図３】図３は、本発明の第１の実施の形態に係るカード型携帯機の動作を示すフローチャートである。
【図４】図４（ａ）は、本発明の第１の実施の形態に係るカード型携帯機を横位置で財布に収容して使用する場合の例を示す図であり、図４（ｂ）は、カード型携帯機を縦位置でスマートフォンケースに収容して使用する場合の例を示す図である。
【図５】図５（ａ）は、本発明の第２の実施の形態に係るカード型携帯機のカード本体表面の平面図であり、図５（ｂ）は、横位置表示部に表示マークが表示されている場合の平面図であり、図５（ｃ）は、縦位置表示部に表示マークが表示されている場合の平面図である。
【図６】図６は、本発明の第２の実施の形態に係るカード型携帯機の構成を示す構成ブロック図である。
【図７】図７は、本発明の第２の実施の形態に係るカード型携帯機の動作を示すフローチャートである。
【図８】図８は、本発明の第２の実施の形態に係るカード型携帯機の横位置照度センサ、縦位置照度センサと横位置表示、縦位置表示の自動切替設定表である。
【図９】図９（ａ）は、本発明の第２の実施の形態に係るカード型携帯機を横位置で財布に収容して使用する場合の例を示す図であり、図９（ｂ）は、カード型携帯機を縦位置でスマートフォンケースに収容して使用する場合の例を示す図である。
【発明を実施するための形態】
【００１５】
（本発明の第１の実施の形態）
図１（ａ）は、本発明の第１の実施の形態に係るカード型携帯機のカード本体表面の平面図であり、図１（ｂ）は、横位置表示部に表示マークが表示されている場合の平面図であり、図１（ｃ）は、縦位置表示部に表示マークが表示されている場合の平面図である。また、図２は、本発明の第１の実施の形態に係るカード型携帯機の構成を示す構成ブロック図である。
【００１６】
本発明の第１の実施の形態に係るカード型携帯機１は、外部機器１００との通信を行なう制御部７０を備えたカード形状のカード本体２０と、カード本体２０の長辺側の縁部に形成された横位置表示部３２、及びカード本体２０の短辺側の縁部に形成された縦位置表示部３４を備え、制御部７０により表示制御される表示部３０と、横位置表示部３２又は縦位置表示部３４への表示の切替えを行なう切替手段である切替えスイッチ４０と、を有して構成されている。
【００１７】
（カード本体２０）
カード型携帯機１のカード本体２０は、図１（ａ）に示すように、平面視した形状が長方形であり、所定の厚さを有するカード形状とされている。このカード本体２０は、キャッシュカード等と同様の形状であって、例えば、財布やスマートフォンケース等のカード収容ポケットに挿入されて収容される。
【００１８】
カード本体２０は、カード本体表面に、カード型携帯機１に関する情報、又は、外部機器１００に関する情報を表示する表示部３０を有している。また、内部には、外部機器１００との通信を行なうと共に、表示部３０への表示制御を行なう制御部７０を有している。また、カード本体表面には、表示部３０の表示位置を切替える切替えスイッチ４０が配置されている。なお、カード本体２０は、カード本体裏面に、さらに表示部を有してもよい。
【００１９】
（表示部３０）
表示部３０は、図１（ａ）に示すように、カード本体２０の長辺側の縁部に形成された横位置表示部３２、及びカード本体２０の短辺側の縁部に形成された縦位置表示部３４で構成されている。図１（ａ）に示すように、横位置表示部３２は、右下がりのハッチングで示した領域であり、縦位置表示部３４は、右上がりのハッチングで示した領域である。左隅部では、横位置表示部３２と縦位置表示部３４のそれぞれの一部が重なるが、切替えスイッチ４０により横位置表示か縦位置表示のどちらか一方の表示を行なうので、問題はない。なお、表示部３０は、横位置表示部３２と縦位置表示部３４を１つの表示部で形成してもよく、また、横位置表示部３２と縦位置表示部３４を別々の表示部で構成してもよい。
【００２０】
表示部３０は、液晶ディスプレイ、有機ＥＬ等の種々のものが使用可能であるが、第１の実施の形態では、例えば、電子ペーパを使用する。電子ペーパは、表示基板にプラスチックフィルムを使い、紙のように薄く作ることができる。また、表示の書き換え時の消費電力も非常に少なく、また、表示中に電力を消費しないという特徴を有する。電子ペーパの方式としては、例えば、電気泳動方式、化学変化方式、マイクロカプセル方式、液晶方式等のものが使用できる。
【００２１】
横位置表示部３２は、図１（ｂ）に示すように、カード本体２０の長辺側の縁部に形成され、財布等に収容された場合でも、この表示領域が外部から視認できるように表示を行なうものである。横位置表示部３２には、例えば、図１（ｂ）に示すような表示マーク３３が、カード本体２０が横位置に配置された状態で視認しやすい向きに表示される。
【００２２】
縦位置表示部３４は、図１（ｃ）に示すように、カード本体２０の短辺側の縁部に形成され、財布等に収容された場合でも、この表示領域が外部から視認できるように表示を行なうものである。縦位置表示部３４には、例えば、図１（ｃ）に示すような表示マーク３５が、カード本体２０が縦位置に配置された状態で視認しやすい向きに表示される。
【００２３】
（切替えスイッチ４０）
切替えスイッチ４０は、図１（ａ）等に示すように、表示部３０以外のカード本体２０に配置され、例えば、カード本体２０の右下隅部に配置される。この切替えスイッチ４０は、表示を横位置表示部３２か縦位置表示部３４のどちらに行なうかを手動により選択するためのスイッチである。切替えスイッチ４０は、例えば、スライドスイッチであり、図１（ｂ）に示すように、スイッチノブ４０ａを右位置にスライド切替えした場合は表示を横位置表示部３２とし、図１（ｃ）に示すように、スイッチノブ４０ａを左位置にスライド切替えした場合は表示を縦位置表示部３４とするように設定されている。切替えスイッチ４０は、例えば、オンオフ（１又は０、Ｈｉ又はＬｏ）信号として制御部７０に入力される。なお、スライドスイッチは、切替手段の一例であって、ＤＩＰスイッチ、タッチスイッチ等種々の切替え手段が使用可能である。
【００２４】
（制御部７０）
制御部７０は、図２に示すように、外部機器１００との通信を行なうと共に、表示部３０の表示制御を行なうものである。制御部７０は、携帯通信部４、携帯制御部５、電池８、及び切替手段としての切替えスイッチ４０から概略構成されている。
【００２５】
携帯通信部４は、通信により、所定の機能を実行させる実行信号を外部機器１００に送信する送信回路４Ａ、及び外部機器１００からのＩＤコードやリクエスト信号ＳＲを受信する受信回路４Ｂからなり、携帯制御部５に接続されている。
【００２６】
携帯制御部５は、予め設定されたＩＤコードが記憶されたメモリ５Ａを有するマイクロコンピュータからなり、受信回路４Ｂからリクエスト信号ＳＲが入力された場合に所定のＩＤコードを含むＩＤコード信号ＳＩＤを応答信号として送信回路４Ａに出力し、送信アンテナ６を介して実行信号を送信するように構成されている。また、携帯制御部５は、メモリ５Ａ内に予め記憶された表示データ及び外部機器１００から受信した表示信号ＳＤに基づいて表示部３０の表示制御を行なう。
【００２７】
送信アンテナ６は、所定の周波数（本実施の形態では約３００ＭＨｚ）のＩＤコード信号ＳＩＤ（電波）を外部機器１００に送信するＵＨＦ（Ultra High Frequency）アンテナからなり、送信回路４Ａに接続されている。送信アンテナ６は、例えば、基板上にアンテナパターンとして設けることにより形成されている。
【００２８】
受信アンテナ７は、外部機器１００から所定の周波数（本実施の形態では約１３０ｋＨｚ）のリクエスト信号ＳＲを受信するＬＦ（Low Frequency）アンテナからなり、受信回路４Ｂに接続されている。受信アンテナ７としては、フェライトからなる磁性体のコアにコイルが巻装されたコイルアンテナが用いられる。
【００２９】
電池８は、例えばリチウム電池からなり、携帯通信部４及び携帯制御部５等に電源を供給するように構成されている。
【００３０】
図２において、外部機器１００は、装置通信部１３及び装置制御部１４、送信アンテナ１５、受信アンテナ１６を備える。外部機器１００は、例えば、車両に搭載され、かつ図示しない車両用コントロール装置（ＥＣＵ）に接続される。
【００３１】
装置通信部１３は、リクエスト信号ＳＲを送信する送信回路１３Ａ及びカード型携帯機１からのＩＤコード信号ＳＩＤをそれぞれ受信する受信回路１３Ｂからなり、装置制御部１４に接続されている。
【００３２】
装置制御部１４は、予め設定されたＩＤコードが記憶されたメモリ１４Ａを有するマイクロコンピュータからなり、リクエスト信号ＳＲを間欠的に出力するように構成されている。また、受信回路１３ＢからＩＤコード信号ＳＩＤが入力された場合に、そのＩＤコード信号ＳＩＤに含まれるＩＤコードとメモリ１４Ａに記憶されたＩＤコードとの比較（ＩＤコード照合）を行うと共に、このＩＤコード照合の結果に基づいて外部機器１００の駆動制御を行うように構成されている。
【００３３】
送信アンテナ１５は、送信回路１３Ａに接続され、カード型携帯機１に所定の周波数（本実施の形態では約１３０ｋＨｚ）のリクエスト信号ＳＲを送信するように構成されている。
【００３４】
受信アンテナ１６は、受信回路１３Ｂに接続され、カード型携帯機１から所定の周波数（本実施の形態では約３００ＭＨｚ）のＩＤコード信号ＳＩＤ（電波）を受信するように構成されている。
【００３５】
（第１の実施の形態の表示動作）
図３は、本発明の第１の実施の形態に係るカード型携帯機１の表示動作を示すフローチャートである。カード型携帯機１の携帯通信部４、携帯制御部５がアウェイク状態にある場合の表示動作について以下に説明する。なお、制御部７０は、ＣＰＵ内部に横位置表示部３２への書き込みがされた場合にフラグをオンとし、縦位置表示部３４への書き込みがされた場合にフラグをオフとするフラグを設定している。
【００３６】
携帯制御部５は、切替えスイッチ４０はオンかどうかを判断する（Ｓｔｅｐ０１）。なお、本実施の形態では、切替えスイッチ４０がオンの場合には横位置表示部３２に表示をし、切替えスイッチ４０がオフの場合には縦位置表示部３４に表示するものとする。切替えスイッチ４０がオンであると判断した場合はＳｔｅｐ０２へ進み、切替えスイッチ４０がオンでないと判断した場合はＳｔｅｐ０３へ進む。
【００３７】
携帯制御部５は、ＣＰＵ内部のフラグがオンかどうかを判断する（Ｓｔｅｐ０２）。フラグがオンであると判断した場合はＳｔｅｐ０１へ戻り表示動作の処理を続行し、フラグがオンでないと判断した場合はＳｔｅｐ０３へ進む。
【００３８】
携帯制御部５は、メモリ５Ａ内に予め記憶された表示データ及び外部機器１００から受信した表示信号ＳＤに基づいて表示部３０の表示制御を行なう。携帯制御部５は、表示部３０の横位置表示部３２に表示マーク３３を表示する（Ｓｔｅｐ０３）。
【００３９】
携帯制御部５は、ＣＰＵ内部のフラグをオンにする（Ｓｔｅｐ０４）。Ｓｔｅｐ０１へ戻り、表示動作の処理を続行する。
【００４０】
携帯制御部５は、ＣＰＵ内部のフラグがオフかどうかを判断する（Ｓｔｅｐ０５）。フラグがオフであると判断した場合はＳｔｅｐ０１へ戻り表示動作の処理を続行し、フラグがオフでないと判断した場合はＳｔｅｐ０６へ進む。
【００４１】
携帯制御部５は、メモリ５Ａ内に予め記憶された表示データ及び外部機器１００から受信した表示信号ＳＤに基づいて表示部３０の表示制御を行なう。携帯制御部５は、表示部３０の縦位置表示部３４に表示マーク３５を表示する（Ｓｔｅｐ０６）。
【００４２】
携帯制御部５は、ＣＰＵ内部のフラグをオフにする（Ｓｔｅｐ０７）。Ｓｔｅｐ０１へ戻り、表示動作の処理を続行する。
【００４３】
上記の一連の表示動作は、携帯制御部５がアウェイク状態にある場合は続行される。
【００４４】
本発明の第１の実施の形態に係るカード型携帯機１は、表示部３０として電子ペーパを使用する。上記のＳｔｅｐ０２、Ｓｔｅｐ０５により、フラグのオン、オフを判断するので、横位置表示部３２又は縦位置表示部３４に表示データが一度書き込まれた後は、切替えスイッチ４０が切替えられるまでは書き換え動作を行なわない。これにより、無用な書き換え動作を回避して、省電力化することができる。
【００４５】
図４（ａ）は、本発明の第１の実施の形態に係るカード型携帯機を横位置で財布に収容して使用する場合の例を示す図であり、図４（ｂ）は、カード型携帯機を縦位置でスマートフォンケースに収容して使用する場合の例を示す図である。
【００４６】
図４（ａ）に示すように、切替えスイッチ４０をオン側に位置させることにより、横位置表示部３２に表示マーク３３が表示される。また、縦位置表示部３４には表示マークは表示されない。このとき、カード型携帯機１が財布１５０のカード差込部１５１に差込まれて収容された場合、横位置表示部３２のみが視認できる状態になる。これにより、必要な表示のみがされたカード型携帯機１を利用することができる。
【００４７】
一方、図４（ｂ）に示すように、切替えスイッチ４０をオフ側に位置させることにより、縦位置表示部３４に表示マーク３５が表示される。また、横位置表示部３２には表示マークは表示されない。このとき、カード型携帯機１がスマートフォンケース２００のカード差込部２０１に差込まれて収容された場合、縦位置表示部３４のみが視認できる状態になる。これにより、必要な表示のみがされたカード型携帯機１を利用することができる。
【００４８】
（本発明の第２の実施の形態）
第１の実施の形態は、切替えスイッチ４０により手動により表示領域を切替える構成としていたが、第２の実施の形態では、光センサにより自動的に表示領域を切替える構成とした。また、表示部３０として液晶ディスプレイを使用する。その他の構成は、第１の実施の形態と同様であるので、以下において重複する説明は省略し、第１の実施の形態と異なる構成について説明する。
【００４９】
図５（ａ）は、本発明の第２の実施の形態に係るカード型携帯機のカード本体表面の平面図であり、図５（ｂ）は、横位置表示部に表示マークが表示されている場合の平面図であり、図５（ｃ）は、縦位置表示部に表示マークが表示されている場合の平面図である。また、図６は、本発明の第２の実施の形態に係るカード型携帯機の構成を示す構成ブロック図である。
【００５０】
本発明の第２の実施の形態に係るカード型携帯機１は、外部機器１００との通信を行なう制御部７０を備えたカード形状のカード本体２０と、カード本体２０の長辺側の縁部に形成された横位置表示部３２、及びカード本体２０の短辺側の縁部に形成された縦位置表示部３４を備え、制御部７０により表示制御される表示部３０と、横位置表示部３２又は縦位置表示部３４への表示の切替えを行なう切替手段である横位置光センサとしての横位置照度センサ５０、縦位置光センサとしての縦位置照度センサ５１と、を有して構成されている。
【００５１】
（表示部３０）
表示部３０は、図５（ａ）に示すように、カード本体２０の長辺側の縁部に形成された横位置表示部３２、及びカード本体２０の短辺側の縁部に形成された縦位置表示部３４で構成されている。図５（ａ）に示すように、横位置表示部３２は、右下がりのハッチングで示した領域であり、は、右上がりのハッチングで示した領域である。左隅部では、横位置表示部３２と縦位置表示部３４のそれぞれの一部が重なるが、横位置照度センサ５０、縦位置照度センサ５１により横位置表示か縦位置表示のどちらか一方の表示を行なうので、問題はない。なお、表示部３０は、横位置表示部３２と縦位置表示部３４を１つの表示部で形成してもよく、また、横位置表示部３２と縦位置表示部３４を別々の表示部で構成してもよい。
【００５２】
表示部３０は、第２の実施の形態では、例えば、液晶ディスプレイを使用する。表示部３０は、液晶ディスプレイの表示部である液晶パネルがカード本体２０の横位置表示部３２及び縦位置表示部３４に貼り付けられて形成されている。
【００５３】
（光センサ、横位置照度センサ５０、縦位置照度センサ５１）
光センサとしては、光に反応して信号を出力するものであればよく、例えば、フォトトランジスタやフォトダイオード等の照度センサを使用することができる。
【００５４】
横位置照度センサ５０は、図５（ａ）〜（ｃ）等に示すように、横位置表示部３２の一部に取り付けられている。すなわち、カード型携帯機１が財布等に収容されて横位置表示部３２のみが視認できる状態の場合、外部の光に反応して、横位置表示部３２にマーク表示を可能とするためである。
【００５５】
一方、縦位置照度センサ５１は、図５（ａ）〜（ｃ）等に示すように、縦位置表示部３４の一部に取り付けられている。すなわち、カード型携帯機１が財布等に収容されて縦位置表示部３４のみが視認できる状態の場合、外部の光に反応して、縦位置表示部３４にマーク表示を可能とするためである。
【００５６】
（制御部７０）
制御部７０は、図６に示すように、外部機器１００との通信を行なうと共に、表示部３０の表示制御を行なうものである。制御部７０は、携帯通信部４、携帯制御部５、電池８、及び切替手段としての横位置照度センサ５０、縦位置照度センサ５１から概略構成されている。その他の構成は、第１の実施の形態と同様である。
【００５７】
（第２の実施の形態の表示動作）
図７は、本発明の第２の実施の形態に係るカード型携帯機１の表示動作を示すフローチャートである。カード型携帯機１の携帯通信部４、携帯制御部５がアウェイク状態にある場合の表示動作について以下に説明する。なお、横位置照度センサ５０、縦位置照度センサ５１のいずれもがオンの場合は、横位置表示部３２のみに表示する設定として説明する。
【００５８】
携帯制御部５は、横位置照度センサ５０はオンかどうかを判断する（Ｓｔｅｐ１１）。横位置照度センサ５０がオンであると判断した場合はＳｔｅｐ１２へ進み、横位置照度センサ５０がオンでないと判断した場合はＳｔｅｐ１３へ進む。
【００５９】
携帯制御部５は、メモリ５Ａ内に予め記憶された表示データ及び外部機器１００から受信した表示信号ＳＤに基づいて表示部３０の表示制御を行なう。携帯制御部５は、表示部３０の横位置表示部３２に表示マーク３３を表示する（Ｓｔｅｐ１２）。なお、縦位置表示部３４は消灯する。Ｓｔｅｐ１１へ戻り、表示動作の処理を続行する。
【００６０】
携帯制御部５は、縦位置照度センサ５１はオンかどうかを判断する（Ｓｔｅｐ１３）。縦位置照度センサ５１がオンであると判断した場合はＳｔｅｐ１４へ進み、縦位置照度センサ５１がオンでないと判断した場合はＳｔｅｐ１５へ進む。
【００６１】
携帯制御部５は、メモリ５Ａ内に予め記憶された表示データ及び外部機器１００から受信した表示信号ＳＤに基づいて表示部３０の表示制御を行なう。携帯制御部５は、表示部３０の縦位置表示部３４に表示マーク３５を表示する（Ｓｔｅｐ１４）。なお、横位置表示部３２は消灯する。Ｓｔｅｐ１１へ戻り、表示動作の処理を続行する。
【００６２】
携帯制御部５は、横位置表示部３２及び縦位置表示部３４を消灯する（Ｓｔｅｐ１５）。すなわち、横位置照度センサ５０及び縦位置照度センサ５１が共にオフであるため、表示マークを表示する必要がないからである。
【００６３】
上記の一連の表示動作は、携帯制御部５がアウェイク状態にある場合は続行される。
【００６４】
本発明の第２の実施の形態に係るカード型携帯機１は、表示部３０として液晶ディスプレイを使用する。上記のＳｔｅｐ１２、Ｓｔｅｐ１４により、横位置表示部３２又は縦位置表示部３４に表示を行なうので、視認できる表示部において、表示マークを随時更新しながら表示することができる。これにより、視認できる表示部に必要な情報をリアルタイムで表示可能となる。
【００６５】
図８は、本発明の第２の実施の形態に係るカード型携帯機の横位置照度センサ、縦位置照度センサと横位置表示、縦位置表示の自動切替設定表である。横位置照度センサ５０、縦位置照度センサ５１のいずれもがオンの場合は、デフォルトとして、横位置表示部３２のみに表示する設定としている。ただし、使用態様を考慮して、横位置照度センサ５０、縦位置照度センサ５１のいずれもがオンの場合は、縦位置表示部３４のみに表示する設定とすることも可能である。
【００６６】
図９（ａ）は、本発明の第２の実施の形態に係るカード型携帯機を横位置で財布に収容して使用する場合の例を示す図であり、図９（ｂ）は、カード型携帯機を縦位置でスマートフォンケースに収容して使用する場合の例を示す図である。
【００６７】
図９（ａ）に示すように、横位置照度センサ５０が露出することにより、横位置表示部３２に表示マーク３３が表示される。また、縦位置表示部３４には表示マークは表示されない。このとき、カード型携帯機１が財布１５０のカード差込部１５１に差込まれて収容された場合、横位置表示部３２のみが視認できる状態になる。これにより、必要な表示のみがされたカード型携帯機１を利用することができる。
【００６８】
一方、図９（ｂ）に示すように、縦位置照度センサ５１が露出することにより、縦位置表示部３４に表示マーク３５が表示される。また、横位置表示部３２には表示マークは表示されない。このとき、カード型携帯機１がスマートフォンケース２００のカード差込部２０１に差込まれて収容された場合、縦位置表示部３４のみが視認できる状態になる。これにより、必要な表示のみがされたカード型携帯機１を利用することができる。
【００６９】
（実施の形態の効果）
本発明の実施の形態に係るカード型携帯機によれば、以下のような効果を有する。
（１）本発明の第１の実施の形態に係るカード型携帯機１は、外部機器１００との通信を行なう制御部７０を備えたカード形状のカード本体２０と、カード本体２０の長辺側の縁部に形成された横位置表示部３２、及びカード本体２０の短辺側の縁部に形成された縦位置表示部３４を備え、制御部７０により表示制御される表示部３０と、横位置表示部３２又は縦位置表示部３４への表示の切替えを行なう切替手段である切替えスイッチ４０と、を有して構成されている。これにより、手動により、横位置表示部３２又は縦位置表示部３４への表示を切替えることができる。また、カード型携帯機の利便性、カスタマイズ性向上による商品力アップが図られる。また、表示機能部を限定したことにより、省電力化、コストダウンが可能となる。
（２）本発明の第２の実施の形態に係るカード型携帯機１は、外部機器１００との通信を行なう制御部７０を備えたカード形状のカード本体２０と、カード本体２０の長辺側の縁部に形成された横位置表示部３２、及びカード本体２０の短辺側の縁部に形成された縦位置表示部３４を備え、制御部７０により表示制御される表示部３０と、横位置表示部３２又は縦位置表示部３４への表示の切替えを行なう切替手段である横位置光センサとしての横位置照度センサ５０、縦位置光センサとしての縦位置照度センサ５１と、を有して構成されている。これにより、自動により、横位置表示部３２又は縦位置表示部３４への表示を切替えることができる。第１の実施の形態と同様に、カード型携帯機の利便性、カスタマイズ性向上による商品力アップが図られる。また、表示機能部を限定したことにより、省電力化、コストダウンが可能となる。
【００７０】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００７１】
１…カード型携帯機
４…携帯通信部
４Ａ…送信回路
４Ｂ…受信回路
５…携帯制御部
５Ａ…メモリ
６…送信アンテナ
７…受信アンテナ
８…電池
１３…装置通信部
１３Ａ…送信回路
１３Ｂ…受信回路
１４…装置制御部
１４Ａ…メモリ
１５…送信アンテナ
１６…受信アンテナ
２０…カード本体
３０…表示部
３２…横位置表示部
３３…表示マーク
３４…縦位置表示部
３５…表示マーク
４０…スイッチ
４０ａ…スイッチノブ
５０…横位置照度センサ
５１…縦位置照度センサ
７０…制御部
１００…外部機器
１５０…財布
１５１…カード差込部
２００…スマートフォンケース
２０１…カード差込部
【図１】
2017126117.tif 000003
【図２】
2017126117.tif 000004
【図３】
2017126117.tif 000005
【図４】
2017126117.tif 000006
【図５】
2017126117.tif 000007
【図６】
2017126117.tif 000008
【図７】
2017126117.tif 000009
【図８】
2017126117.tif 000010
【図９】
2017126117.tif 000011